(57)【要約】【課題】特に相手方のコネクタと分離した状態において、該相手方のコネクタから分離する方向にレバーを押圧しても、該レバーがコネクタハウジングから脱落することを防止できるレバーを備えたコネクタを提供する。【解決手段】コネクタ１はコネクタハウジング９とコネクタハウジング９に回転自在に設けられたレバー４と規制突起１７を備えている。レバー４は矢印Ｋ１に沿って回転することでコネクタ１を相手方のコネクタ３に近づける。レバー４は矢印Ｋ２に沿って回転することでコネクタ１を相手方のコネクタ３から遠ざける。規制突起１７はコネクタ１が相手方のコネクタ３から分離した状態において矢印Ｋ２に沿ってレバー４が回転することを規制する。【選択図】図１
2008004287.tif 000002
【特許請求の範囲】
【請求項１】
コネクタハウジングと、
中央部が前記コネクタハウジングに回転自在に取り付けられているとともに、一方向に回転することで相手方のコネクタに近づいて前記コネクタハウジングが該相手方のコネクタと嵌合するとともに、前記一方向の逆向きの他方向に回転することで相手方のコネクタから遠ざけて前記コネクタハウジングを該相手方のコネクタから分離させるレバーと、
前記相手方のコネクタから分離した状態から前記レバーが前記他方向に更に回転することを規制する規制部と、を備えたコネクタにおいて、
前記規制部が、前記レバーから前記コネクタハウジングに向かって凸に形成され、かつ前記レバーの前記コネクタハウジングに対する回転中心の近傍に配置されたことを特徴とするコネクタ。
【請求項２】
前記レバーは、前記相手方のコネクタから分離した状態から前記他方向に更に回転すると一端部が前記コネクタハウジングの外側に向かって突出するとともに、
前記規制部は、前記レバーの前記相手方のコネクタから分離した状態において前記コネクタハウジングの外側に露出しかつ前記回転中心よりも前記レバーの他端部側の位置に配置されていることを特徴とする請求項１記載のコネクタ。
【請求項３】
前記規制部は、前記相手方のコネクタから分離した状態において、前記レバーの前記コネクタハウジングの外側に露出する外縁に設けられていることを特徴とする請求項２記載のコネクタ。
【請求項４】
前記規制部には、前記相手方のコネクタから分離した状態から前記レバーが前記他方向に更に回転すると前記コネクタハウジングに近づいて、該コネクタハウジングと干渉して前記レバーと前記コネクタハウジングとが密着するように、前記相手方のコネクタとの嵌合方向に対して傾斜した傾斜面が設けられていることを特徴とする請求項１乃至請求項３のうちいずれか一項に記載のコネクタ。
【請求項５】
前記コネクタハウジングが、端子金具を収容する本体部と、該本体部との間に前記レバーを配置するフード部とを備え、
前記規制部が、前記レバーから前記コネクタハウジングの外側に向かって突出しているとともに、
前記傾斜面が、前記相手方のコネクタから分離した状態から前記レバーが前記他方向に更に回転すると前記フード部に近づいて当該フード部と干渉するとともに、該フード部に近づくのにしたがって徐々に前記コネクタハウジングの外側に向かう方向に前記嵌合方向に対して傾斜していることを特徴とする請求項４に記載のコネクタ。
【請求項６】
前記コネクタハウジングが、端子金具を収容するとともに外面に前記レバーが重ねられる本体部を備え、
前記規制部が、前記レバーから前記コネクタハウジングの内側に向かって突出しているとともに、
前記傾斜面が、前記相手方のコネクタから分離した状態から前記レバーが前記他方向に更に回転すると前記本体部に近づいて当該本体部と干渉するとともに、該本体部に近づくのにしたがって徐々に前記コネクタハウジングの内側に向かう方向に前記嵌合方向に対して傾斜していることを特徴とする請求項４に記載のコネクタ。
【発明の詳細な説明】
【技術分野】
【０００１】
本発明は、端子金具を収容するコネクタハウジングに回転自在に設けられたレバーを備えたコネクタに関する。
【背景技術】
【０００２】
従来からレバーを備えた所謂レバー式コネクタは知られている(例えば、特許文献１参照)。
【０００３】
前述した所謂レバー式コネクタは、端子金具を収容するコネクタハウジングと、前記コネクタハウジングに回転自在に取り付けられて該コネクタハウジングに対して回転することで相手方のコネクタと接離するためのレバーと、を備えている。
【０００４】
前記レバーは、その長手方向の中央部が回転自在に前記コネクタハウジングに取り付けられている。前記レバーは、相手方のコネクタと分離する際には一端部がコネクタハウジング外に突出しかつ相手方のコネクタと嵌合する際には一端部がコネクタハウジング上に重なるように、コネクタハウジングに対して回転する。
【０００５】
また、前述したコネクタは、レバーの回転範囲を規制するための規制突起をコネクタハウジングなどに設けている。この規制突起は、レバーの他端部の近傍に設けられて、該他端部と干渉することで、相手方のコネクタと分離した状態からレバーが更に分離する際に回転する方向に回転することを規制する。
【特許文献１】特開２００２−３５９０２８号公報
【発明の開示】
【発明が解決しようとする課題】
【０００６】
しかしながら、上述した従来のレバー式コネクタは、規制突起がレバーの他端部の近傍に設けられているので、レバーのてこ比の関係上、相手方のコネクタと分離した状態において、レバーを相手方のコネクタから分離する方向に更に弱い力で押圧しても、該弱い力が前述したてこ比によって強い力となって、レバーの他端部が規制突起を押圧する。このため、従来のレバー式コネクタは、相手方のコネクタと分離した状態において、レバーを相手方のコネクタから分離方向に更に弱い力で押圧しても、レバーの他端部が規制突起などを乗り越えて、該レバーが前述した規制突起によって規制された位置から更に相手方のコネクタから分離する方向にレバーが回転してしまうことがあった。この場合、レバーがコネクタハウジングから外れてしまう。
【０００７】
このように、従来のレバー式コネクタは、相手方のコネクタと分離した状態において、さらにレバーを相手方のコネクタから分離する方向に弱い力で押圧しても、レバーがコネクタハウジングから脱落してしまうことがあって、望ましくない。
【０００８】
したがって、本発明の目的は、特に相手方のコネクタと分離した状態において、該相手方のコネクタから分離する方向にレバーを押圧しても、該レバーがコネクタハウジングから脱落することを防止できるレバーを備えたコネクタを提供することを目的とする。
【課題を解決するための手段】
【０００９】
前述した課題を解決し目的を達成するために、請求項１に記載の本発明のコネクタは、コネクタハウジングと、中央部が前記コネクタハウジングに回転自在に取り付けられているとともに、一方向に回転することで相手方のコネクタに近づいて前記コネクタハウジングが該相手方のコネクタと嵌合するとともに、前記一方向の逆向きの他方向に回転することで相手方のコネクタから遠ざけて前記コネクタハウジングを該相手方のコネクタから分離させるレバーと、前記相手方のコネクタから分離した状態から前記レバーが前記他方向に更に回転することを規制する規制部と、を備えたコネクタにおいて、前記規制部が、前記レバーから前記コネクタハウジングに向かって凸に形成され、かつ前記レバーの前記コネクタハウジングに対する回転中心の近傍に配置されたことを特徴としている。
【００１０】
請求項２に記載の本発明のコネクタは、請求項１に記載のコネクタにおいて、前記レバーは、前記相手方のコネクタから分離した状態から前記他方向に更に回転すると一端部が前記コネクタハウジングの外側に向かって突出するとともに、前記規制部は、前記レバーの前記相手方のコネクタから分離した状態において前記コネクタハウジングの外側に露出しかつ前記回転中心よりも前記レバーの他端部側の位置に配置されていることを特徴としている。
【００１１】
請求項３に記載の本発明のコネクタは、請求項２に記載のコネクタにおいて、前記規制部は、前記相手方のコネクタから分離した状態において、前記レバーの前記コネクタハウジングの外側に露出する外縁に設けられていることを特徴としている。
【００１２】
請求項４に記載の本発明のコネクタは、請求項１乃至請求項３のうちいずれか一項に記載のコネクタにおいて、前記規制部には、前記相手方のコネクタから分離した状態から前記レバーが前記他方向に更に回転すると前記コネクタハウジングに近づいて、該コネクタハウジングと干渉して前記レバーと前記コネクタハウジングとが密着するように、前記相手方のコネクタとの嵌合方向に対して傾斜した傾斜面が設けられていることを特徴としている。
【００１３】
請求項５に記載の本発明のコネクタは、請求項４に記載のコネクタにおいて、前記コネクタハウジングが、端子金具を収容する本体部と、該本体部との間に前記レバーを配置するフード部とを備え、前記規制部が、前記レバーから前記コネクタハウジングの外側に向かって突出しているとともに、前記傾斜面が、前記相手方のコネクタから分離した状態から前記レバーが前記他方向に更に回転すると前記フード部に近づいて当該フード部と干渉するとともに、該フード部に近づくのにしたがって徐々に前記コネクタハウジングの外側に向かう方向に前記嵌合方向に対して傾斜していることを特徴としている。
【００１４】
請求項６に記載の本発明のコネクタは、請求項４に記載のコネクタにおいて、前記コネクタハウジングが、端子金具を収容するとともに外面に前記レバーが重ねられる本体部を備え、前記規制部が、前記レバーから前記コネクタハウジングの内側に向かって突出しているとともに、前記傾斜面が、前記相手方のコネクタから分離した状態から前記レバーが前記他方向に更に回転すると前記本体部に近づいて当該本体部と干渉するとともに、該本体部に近づくのにしたがって徐々に前記コネクタハウジングの内側に向かう方向に前記嵌合方向に対して傾斜していることを特徴としている。
【００１５】
請求項１に記載した本発明のコネクタによれば、レバーの回転を規制する規制部が該レバーの回転中心の近傍に配置されているので、規制部がレバーを操作する箇所に近くなる。
【００１６】
請求項２に記載した本発明のコネクタによれば、規制部が相手方のコネクタから分離した状態においてコネクタハウジングの外側に露出しかつ回転中心よりもレバーの他端部寄りに配置されている。このため、規制部は、相手方のコネクタから分離した状態において、レバーが他方に更に回転してもコネクタハウジングに近づく。
【００１７】
請求項３に記載した本発明のコネクタによれば、規制部がレバーの外縁に設けられているので、レバーの形状が単純になって該レバーを成形する際の金型の形状が単純になる。
【００１８】
請求項４に記載した本発明のコネクタによれば、規制部にレバーとコネクタハウジングとが密着するように傾斜した傾斜面が設けられているので、相手方のコネクタから分離した状態において、レバーを更に他方向に回転しても、コネクタハウジングとレバーとがより密着する。
【００１９】
請求項５に記載した本発明のコネクタによれば、規制部がレバーからコネクタハウジングの外側に突出して、傾斜面がコネクタハウジングのフード部に近づくのにしたがって徐々にコネクタハウジングの外側に向かって傾斜してので、相手方のコネクタから分離した状態において、レバーを更に他方向に回転しても、コネクタハウジングのフード部とレバーとがより密着する。
【００２０】
請求項６に記載した本発明のコネクタによれば、規制部がレバーからコネクタハウジングの内側に突出して、傾斜面がコネクタハウジングの本体部に近づくのにしたがって徐々にコネクタハウジングの内側に向かって傾斜しているので、相手方のコネクタから分離した状態において、レバーを更に他方向に回転しても、コネクタハウジングの本体部とレバーとがより密着する。
【発明の効果】
【００２１】
請求項１に記載の本発明によれば、規制部がレバーを押圧する箇所に近くなるので、規制部がレバーの押圧する箇所よりも最も離れた位置に配置された場合よりも、相手方のコネクタから分離した状態において、レバーを更に他方向に回転した際に、規制部がコネクタハウジングを押圧する力が弱くなる。このため、相手方のコネクタから分離した状態において、レバーを更に他方向に回転しても、規制部がコネクタハウジングと干渉しなくなることを防止できる。したがって、特に相手方のコネクタと分離した状態において、該相手方のコネクタから分離する方向にレバーを押圧しても、該レバーがコネクタハウジングから脱落することを防止できる。
【００２２】
請求項２に記載の本発明によれば、相手方のコネクタから分離した状態において、レバーが他方向に更に回転しても規制部がコネクタハウジングに近づくので、相手方のコネクタから分離した状態においてレバーを他方向に更に回転しても、規制部がコネクタハウジングと確実に干渉する。したがって、レバーがコネクタハウジングから脱落することを確実に防止できる。
【００２３】
請求項３に記載の本発明によれば、レバーを成形する際の金型の形状が単純になるので、コネクタのコストを抑制することができる。
【００２４】
請求項４に記載の本発明によれば、規制部にレバーとコネクタハウジングとが密着するように傾斜した傾斜面が設けられているので、相手方のコネクタから分離した状態において、レバーを更に他方向に回転しても、コネクタハウジングとレバーとがより密着する。このため、相手方のコネクタから分離した状態において、レバーを更に他方向に回転しても、レバーがコネクタハウジングから脱落することをより確実に防止できる。
【００２５】
請求項５に記載の本発明によれば、規制部に設けられた傾斜面によって、相手方のコネクタから分離した状態において、レバーを更に他方向に回転しても、コネクタハウジングのフード部とレバーとがより密着する。このため、相手方のコネクタから分離した状態において、レバーを更に他方向に回転しても、レバーがコネクタハウジングから脱落することをより一層確実に防止できる。
【００２６】
請求項６に記載の本発明によれば、規制部に設けられた傾斜面によって、相手方のコネクタから分離した状態において、レバーを更に他方向に回転しても、コネクタハウジングのフード部とレバーとがより密着する。このため、相手方のコネクタから分離した状態において、レバーを更に他方向に回転しても、レバーがコネクタハウジングから脱落することをより一層確実に防止できる。
【発明を実施するための最良の形態】
【００２７】
本発明の一実施形態にかかるコネクタを、図１ないし図５を参照して説明する。本発明の一実施形態にかかるコネクタ１は、図１に示す相手方のコネクタ３と嵌合する。
【００２８】
相手方のコネクタ３は、コネクタハウジング２２と、支点ガイド溝６とを備えている。コネクタハウジング２２は、雄型の端子金具（以下、雄端子と呼び、図１などに示す）２５の主に電線接続部を収容する端子収容室を備えて、筒状に形成されている。コネクタハウジング２２には、仮係合用突起２３と、ロック突起とが設けられている。これらの仮係合用突起２３と、ロック突起とは、それぞれ、コネクタハウジング２２の外面から凸に形成されている。仮係合用突起２３は、後述するレバー用ロックアーム１６に仮係合して、コネクタ１，３同士を仮固定する。ロック突起は、ロックアームと係合して、コネクタ１，３同士を嵌合する。
【００２９】
支点ガイド溝６は、相手方のコネクタ３のコネクタハウジング２２の互いに間隔をあけて相対する一対の外壁の外面の各々に設けられている。支点ガイド溝６は、コネクタ１，３同士が嵌合する際に互いの間に後述するレバー用支持突起１４が位置する位置に配置されている。支点ガイド溝６は、それぞれ、コネクタハウジング２２の外面から凹の溝状に形成されている。
【００３０】
支点ガイド溝６は、その一端が相手方のコネクタ３のコネクタハウジング２２のコネクタ１寄りの縁に開口している。互いの間にレバー用支持突起１４が位置する一対の支点ガイド溝６は、前述した縁から、コネクタ１から離れるのにしたがって、徐々に互いに離れる方向に、後述する嵌合方向としての接離する方向Ｓに対して、傾斜している。支点ガイド溝６は、その他端がコネクタハウジング２２の外側に開口している。
【００３１】
前述した構成の支点ガイド溝６内には、前述した他端側の開口を通して、支点ボス７が侵入する。支点ガイド溝６内に侵入した支点ボス７は、該支点ガイド溝６内を移動自在である。コネクタ１，３同士が互いに嵌合する際に、後述するように、レバー４を回転すると、支点ボス７は、支点ガイド溝６内を前述した一端側に移動する。そして、支点ガイド溝６は、前述したように傾斜しているので、支点ボス７が他端側から一端側に移動することで、コネクタ１，３同士を互いに近づける。
【００３２】
前述した相手方のコネクタ３は、コネクタハウジング２２がコネクタ１の後述するインナハウジング１１とアウタカバー１２との間に侵入して、仮係合用突起２３にレバー用ロックアーム１６が仮係合して、コネクタ１と仮固定される。相手方のコネクタ３は、雄端子２５の電気接触部２６がコネクタ１のインナハウジング１１の端子収容室１３内に侵入して、ロック突起にロックアームが係合することで、コネクタ１と完全に嵌合する。そして、相手方のコネクタ３とコネクタ１は、後述する雌端子と雄端子２５とを電気的に接続して、雌端子に取り付けられた電線同士を電気的に接続する。さらに、相手方のコネクタ３は、コネクタ１と嵌合する際に、コネクタハウジング２２の一部がレバー４の後述する平板部２９とインナハウジング１１との間に侵入する。
【００３３】
コネクタ１は、図１乃至図５に示すように、コネクタハウジング９と、レバー４と、支点ボス７（図１などに示す）と、規制部としての規制突起１７とを備えている。
【００３４】
コネクタハウジング９は、図１などに示すように、本体部としての箱形のインナハウジング１１と、フード部としての筒形のアウタカバー１２とを一体に備えている。インナハウジング１１は、端子収容室１３（図３などに示す）が設けられており、箱状に形成されている。インナハウジング１１は、各々の端子収容室１３に図示しない雌形の端子金具（以下、雌端子と呼ぶ）を収容する。
【００３５】
アウタカバー１２は、内側にインナハウジング１１を収容した格好で、該インナハウジング１１と一体に形成されている。アウタカバー１２の内面は、インナハウジング１１の外面と間隔をあけている。また、アウタカバー１２の互いに相対する内面の各々には、図３に示すように、該内面から凸のレバー用支持突起１４と、ガイド突起１８とが設けられている。レバー用支持突起１４とガイド突起１８は、円柱状に形成されている。レバー用支持突起１４とガイド突起１８とは、互いに間隔をあけて配置されている。レバー用支持突起１４は、アウタカバー１２のコネクタ１の幅方向の中央に設けられている。
【００３６】
なお、幅方向とは、コネクタ１，３同士が後述するように互いに嵌合又は分離する際に、これらのコネクタ１，３が相対的に移動（接離）する方向（図１中に矢印Ｓに示す）に対して直交する方向をなしている。このコネクタ１，３同士が接離する方向Ｓは、特許請求の範囲に記載したコネクタ１，３同士の嵌合方向をなしている。また、コネクタハウジング９には、図３に示すように、インナハウジング１１とアウタカバー１２とを連結する連結リブ１５が複数設けられている。
【００３７】
また、コネクタ１のインナハウジング１１の外面(図１中手前側と奥側に位置する幅方向の一対の側面各々）には、レバー用ロックアーム１６が設けられている。レバー用ロックアーム１６は、コネクタ１，３同士を嵌合させる際に、相手方のコネクタ３の仮係合用突起２３と仮係合するとともに、これらのコネクタ１，３を互いに近づけたレバー４の後述する操作板部３０に係合して、該レバー４を位置決めする。
【００３８】
さらに、コネクタ１のコネクタハウジング１１には、相手方のコネクタ３のコネクタハウジング２２のロック突起と係合するロックアームが設けられている。コネクタ１は、レバー用ロックアーム１６が仮係合用突起２３と仮係合することでインナハウジング１１が相手方のコネクタ３内に侵入して端子同士が互いに間隔をあけた状態で該相手方のコネクタ３に仮固定されるとともに、ロックアームがロック突起と係合することで、相手方のコネクタ３と嵌合する。
【００３９】
レバー４は、図２に示すように、一対の平板部２９と、これら一対の該平板部２９の一端部２９ａ同士を連結した操作板部３０とを備えて、側方からみて全体としてコ字状に形成されている。平板部２９は、それぞれ、帯板状に形成されている。一対の平板部２９は、互いに間隔をあけて平行に配置されている。
【００４０】
平板部２９の一端部２９ａは、特許請求の範囲に記載されたレバー４の一端部をなしている。一対の平板部２９には、それぞれ、作用点用ガイド孔３１と、ガイド孔３２とが設けられている。作用点用ガイド孔３１及びガイド孔３２は、平板部２９を貫通している。
【００４１】
作用点用ガイド孔３１は、平板部２９の長手方向と幅方向との双方の中央部に設けられている。作用点用ガイド孔３１の平面形状は、その長径が平板部２９の長手方向に沿った楕円形状（小判状又は長孔形状ともいう）に形成されている。作用点用ガイド孔３１内には、レバー用支持突起１４が侵入する。作用点用ガイド孔３１内に侵入したレバー用支持突起１４は、該作用点用ガイド孔３１内を移動自在となるとともに内で回転自在となる。また、作用点用ガイド孔３１内にレバー用支持突起１４が侵入することで、レバー４は、平板部２９の中央部を中心として回転自在にコネクタ１に取り付けられる。
【００４２】
ガイド孔３２は、その平面形状が円弧状に延びた長孔形状に形成されている。ガイド孔３２は、作用点用ガイド孔３１と間隔をあけて配置されている。ガイド孔３２は、その曲率の中心が作用点用ガイド孔３１側に位置するように、円弧状に湾曲している。ガイド孔３２内にはガイド突起１８が侵入する。ガイド孔３２内に侵入したガイド突起１８は、該ガイド孔３２内を移動自在である。ガイド孔３２内をガイド突起１８が移動することで、レバー４のコネクタハウジング９に対する回転方向が案内される。
【００４３】
平板部２９は、作用点用ガイド孔３１内にレバー用支持突起１４が侵入しかつガイド孔３２内にガイド突起１８が侵入することで、インナハウジング１１とアウタカバー１２との間に配置される。そして、平板部２９は、レバー用支持突起１４が作用点用ガイド孔３１内を移動しかつ内で回転自在となるとともに、ガイド突起１８がガイド孔３２内を移動することで、その中央部を中心として、回転自在にコネクタハウジング９に取り付けられる。
【００４４】
操作板部３０は、平板部２９がインナハウジング１１とアウタカバー１２との間に配置されて、平板部２９が回転することで、レバー用ロックアーム１６と重なることが可能な位置に配置されている。操作板部３０は、レバー用ロックアーム１６と係合する。操作板部３０は、レバー用ロックアーム１６に係合することで、コネクタ１，３同士が完全に嵌合した状態でレバー４を位置決めする。
【００４５】
前述したレバー４は、作用点用ガイド孔３１内にレバー用支持突起１４が侵入しかつガイド孔３２内にガイド突起１８が侵入して、インナハウジング１１と間隔をあけた状態でコネクタ１に取り付けられる。そして、レバー４は、前述した中央部を中心として回転自在にコネクタ１に支持される。さらに、コネクタ１，３同士を嵌合する際に、レバー４に設けられた後述する支点ボス７が支点ガイド溝６内に侵入する。
【００４６】
そして、レバー４は、前述した中央部を中心として、図２及び図３中の矢印Ｋ１に沿って、コネクタ１のコネクタハウジング９に対して回転することで、支点ボス７が支点ガイド溝６内を摺動（移動及び回転）して、コネクタ１即ちコネクタハウジング９を相手方のコネクタ３に近付けて、コネクタハウジング９即ちコネクタ１を相手方のコネクタ３と嵌合させる。なお、矢印Ｋ１は、特許請求の範囲に記載された一方向をなしている。
【００４７】
また、レバー４は、前述した中央部を中心として、図２及び図３中の矢印Ｋ１の逆向きの矢印Ｋ２に沿って、コネクタ１のコネクタハウジング９に対して回転することで、支点ボス７が支点ガイド溝６内を摺動（移動及び回転）して、コネクタ１即ちコネクタハウジング９を相手方のコネクタ３から遠ざけて、コネクタハウジング９即ちコネクタ１を相手方のコネクタ３から分離させる。なお、矢印Ｋ２は、特許請求の範囲に記載された他方向をなしている。
【００４８】
このように、レバー４は、前述した中央部を中心として、図２及び図３中の矢印Ｋ１，Ｋ２に沿って、コネクタ１のコネクタハウジング９に対して回転することで、相手方のコネクタ３とコネクタ１とを互いに接離させる。なお、接離とは、コネクタ１と相手方のコネクタ３とが、互いに近づいたり離れることを示している。また、レバー４のコネクタハウジング９に対する回転中心は、作用点用ガイド孔３１の近傍（即ち、レバー４の平板部２９の中央部）に位置する。
【００４９】
さらに、レバー４は、ロックアームとロック突起とが完全に離れるとともに、支点ボス７が支点ガイド溝６内に侵入及び該支点ガイド溝６内から抜け出ることが自在となって、コネクタ１，３同士を完全に分離させる第１の位置（図２及び図３などに示す）と、ロックアームがロック突起に完全に係合してコネクタ１，３同士を完全に嵌合させる第２の位置（図示しない）とに亘って、コネクタ１に対して回転自在に設けられている。
【００５０】
なお、第２の位置では、レバー４の平板部２９の大部分が、アウタカバー１２とインナハウジング１１との間に収容されるとともに、レバー４の平板部２９の相手方のコネクタ３から離れた側の外縁２９ｂが、アウタカバー１２とインナハウジング１１との間から突出した格好となる。第１の位置では、レバー４の平板部２９の大部分（勿論、前述した外縁２９ｂも含む）が、アウタカバー１２とインナハウジング１１との間から突出した格好となる。また、前述した第２の位置から第１の位置に向かって、レバー４を矢印Ｋ２に沿って回転すると、平板部２９の一端部２９ａがコネクタハウジング９の外側に徐々に突出する。さらに、前述した第１の位置からさらにレバー４を矢印Ｋ２に沿って回転しようとすると、平板部２９の一端部２９ａがコネクタハウジング９の更に外側に突出しようとする。
【００５１】
支点ボス７は、レバー４の平板部２９の操作板部３０が連なっていない側の他端部２９ｃに設けられている。支点ボス７は、円柱状に形成されており、平板部２９から該一対の平板部２９同士が近づく方向に突出している。即ち、支点ボス７は、平板部２９からコネクタ１に嵌合する相手方のコネクタ３のコネクタハウジング２２に向かって凸に形成されている。なお、他端部２９ｃは、レバー４の他端部をなしている。
【００５２】
規制突起１７は、前述した作用点用ガイド孔３１即ちレバー４の回転中心の近傍に配置され、かつ前述したレバー４の平板部２９の外縁２９ｂからコネクタハウジング９即ちコネクタ１の外側に向かって立設している。即ち、規制突起１７は、レバー４の平板部２９の外縁２９ｂからコネクタハウジング９のアウタカバー１２に向かって凸に形成されている。
【００５３】
規制突起１７は、レバー４が前述した第１の位置に位置付けられると、コネクタハウジング９の外側に露出する。さらに、規制突起１７は、作用点ガイド孔３２即ちレバー４の回転中心よりもレバー４の平板部２９の他端部２９ｃ側に配置されている。規制突起１７は、レバー４が前述した第１の位置に位置付けられると、即ちコネクタ１のコネクタハウジング９が相手方のコネクタ３から分離すると、図４及び図５に示すように、コネクタハウジング９のアウタカバー１２の相手方のコネクタ３から離れた側の外縁１２ａと相対する。そして、規制突起１７は、アウタカバー１２の前述した外縁１２ａと当接（干渉）して、第１の位置よりも、レバー４が更に矢印Ｋ２に沿って回転することを規制する。
【００５４】
また、規制突起１７には、図４及び図５に示すように、アウタカバー１２の前述した外縁１２ａと相対する傾斜面１９が設けられている。傾斜面１９は、勿論、第１の位置に位置付けられたレバー４が矢印Ｋ２に沿って回転されると、アウタカバー１２の前述した外縁１２ａに近づいて、当該アウタカバー１２の前述した外縁１２ａと接触（干渉）する。傾斜面１９は、図４及び図５に示すように、アウタカバー１２の前述した外縁１２ａに近づくのにしたがって、徐々にコネクタハウジング９の外側に向かうように、前述した嵌合方向としての接離する方向Ｓに対して傾斜している。
【００５５】
このため、第１の位置に位置付けられたレバー４が矢印Ｋ２に沿って回転されると、傾斜面１９は、レバー４の平板部２９をアウタカバー１２に近づく方向に変位させるとともに、アウタカバー１２をレバー４の平板部２９に近づく方向に変位させる。このように、規制突起１７には、相手方のコネクタ３から分離した状態からレバー４が矢印Ｋ２に沿って更に回転すると、コネクタハウジング９のアウタカバー１２に近づいて、該コネクタハウジング９のアウタカバー１２と干渉してレバー４とコネクタハウジング９のアウタカバー１２とが密着するように、前記接離する方向Ｓに対して傾斜した傾斜面１９が設けられている。
【００５６】
前述したコネクタ１と相手方のコネクタ３とを互いに嵌合させる際には、まず、コネクタハウジング９内に電線付きの雌端子を収容して、コネクタ１のコネクタハウジング９にレバー４を取り付ける。この状態では、レバー４は、前述した第１の位置に位置付けられている。コネクタハウジング２２内に雄端子２５を収容して、相手方のコネクタ３を組み立てる。
【００５７】
そして、支点ガイド溝６内に前述した他端側の開口を通して支点ボス７を侵入させるとともに、相手方のコネクタ３の仮係合用突起２３とコネクタ１のレバー用ロックアーム１６とを仮係合させて、コネクタ１，３同士を仮固定する。すると、レバー用支持突起１４は、作用点用ガイド孔３１の操作板部３０寄りの端部内に位置するとともに、ガイド突起１８がガイド孔３２内に位置する。そして、レバー４の操作板部３０を押圧して、該レバー４を矢印Ｋ１に沿って第２の位置に向かって回転する。
【００５８】
すると、支点ボス７が、支点ガイド溝６内を前述した他端側から一端側に移動して、コネクタ１，３同士を徐々に近づけ、かつ、レバー用支持突起１４が作用点用ガイド孔３１の操作板部３０寄りの端部から該操作板部３０から離れた側の端部に向かって移動するとともに、ガイド突起１８がガイド孔３２内を移動する。
【００５９】
そして、ロック突起とロックアームとが互いに完全に係合して、コネクタ１，３同士が嵌合する。すると、レバー４の操作板部３０がレバー用ロックアーム１６に係合するとともに、レバー４が前述した第２の位置に位置付けられる。こうして、コネクタ１は、相手方のコネクタ３と嵌合する。
【００６０】
また、コネクタ１，３同士を分離する際には、先ほどと逆向きの矢印Ｋ２に沿ってレバー４を第２の位置から第１の位置に向かって回転する。
【００６１】
さらに、前述したレバー４が第１の位置に位置付けられた状態、即ちコネクタ１のコネクタハウジング９が相手方のコネクタ３から分離した状態において、レバー４を矢印Ｋ２に沿って回転すると、規制突起１７の傾斜面１９がアウタカバー１２の前述した外縁１２ａに当接する。そして、レバー４が第１の位置よりも矢印Ｋ２に沿って回転することが規制されて、コネクタハウジング９から脱落することが規制される。また、傾斜面１９が前述したように接離する方向Ｓに対して傾斜しているので、アウタカバー１２とレバー４の平板部２９とがより密着する。
【００６２】
本実施形態によれば、レバー４の回転を規制する規制突起１７が該レバー４の回転中心の近傍に配置されているので、規制突起１７がレバー４を操作する箇所（操作板部３０）に近くなる。このため、規制突起１７がレバー４の操作する箇所（操作板部３０）から最も離れた位置（平板部２９の他端部２９ｃ）の近傍に配置された場合よりも、相手方のコネクタ３から分離した状態において、レバー４を更に矢印Ｋ２に沿って回転した際に、規制突起１７がコネクタハウジング９を押圧する力が弱くなる。
【００６３】
このため、相手方のコネクタ３から分離した状態において、レバー４を更に矢印Ｋ２に沿って回転しても、規制突起１７上にコネクタハウジング９のアウタカバー１２が乗り上げることなどを防止でき当該コネクタハウジング９と干渉しなくなることを防止できる。したがって、特に相手方のコネクタ３と分離した状態において、該相手方のコネクタ３から分離する矢印Ｋ２方向にレバー４を押圧しても、該レバー４がコネクタハウジング９から脱落することを防止できる。
【００６４】
規制突起１７が相手方のコネクタ３から分離した状態においてコネクタハウジング９の外側に露出しかつ回転中心よりもレバー４の他端部２９ｃ寄りに配置されているので、該規制突起１７は、相手方のコネクタ３から分離した状態において、レバー４が更に矢印Ｋ２に沿って回転してもコネクタハウジング９に近づく。このため、相手方のコネクタ３から分離した状態においてレバー４を更に矢印Ｋ２に沿って回転しても、規制突起１７がコネクタハウジング９と確実に干渉する。したがって、レバー４がコネクタハウジング９から脱落することを確実に防止できる。
【００６５】
規制突起１７がレバー４の平板部２９の外縁２９ｂに設けられているので、レバー４の形状が単純になって該レバー４を成形する際の金型の形状が単純になる。したがって、コネクタ１のコストを抑制することができる。
【００６６】
規制突起１７にレバー４とコネクタハウジング９とが密着するように傾斜した傾斜面１９が設けられているので、相手方のコネクタ３から分離した状態において、レバー４を更に矢印Ｋ２に沿って回転しても、コネクタハウジング９とレバー４とがより密着する。このため、相手方のコネクタ３から分離した状態において、レバー４を更に矢印Ｋ２に沿って回転しても、レバー４がコネクタハウジング９から脱落することをより確実に防止できる。
【００６７】
規制突起１７がレバー４の平板部２９からコネクタハウジング９の外側に突出して、傾斜面１９がコネクタハウジング９のアウタカバー１２に近づくのにしたがって徐々にコネクタハウジング９の外側に向かって傾斜しているので、相手方のコネクタ３から分離した状態において、レバー４を更に矢印Ｋ２に沿って回転しても、コネクタハウジング９のアウタカバー１２とレバー４とがより密着する。このため、相手方のコネクタ３から分離した状態において、レバー４を更に矢印Ｋ２に沿って回転しても、レバー４がコネクタハウジング９から脱落することをより一層確実に防止できる。
【００６８】
また、実施形態では、コネクタ１にレバー４から突出した支点ボス７を設け、相手方のコネクタ３に支点ボス７が侵入する支点ガイド溝６を設けている。しかしながら、本発明では、相手方のコネクタ３に支点ボス７を設け、レバー４に支点ボス７が侵入する支点ガイド溝６を設けても良い。
【００６９】
また、本発明では、図６及び図７に示すように、コネクタ１のコネクタハウジング９が、アウタカバー１２を備えずに、インナハウジング１１のみを備えても良い。なお、図６及び図７において、前述した実施形態と同一部分には、同一符号を付して説明を省略する。この場合、レバー用支持突起１４がインナハウジング１１の外面から凸に設けられているとともに、支点ボス７がレバー４の平板部２９から該平板部２９同士が離れる方向に凸に形成されている。また、支点ガイド溝６が、相手方のコネクタ３のコネクタハウジング２２の内面から凹に形成されている。
【００７０】
また、図６及び図７に示す場合では、インナハウジング１１の外面にレバー４の平板部２９が重ねられる。規制突起１７は、レバー４の平板部２９の外縁２９ｂからコネクタハウジング９の内側即ちコネクタハウジング９のインナハウジング１１に向かって凸に形成されている（立設している）。規制突起１７には、コネクタハウジング９のインナハウジング１１の相手方のコネクタ３から離れた側の外縁１１ａと相対する傾斜面１９が設けられている。
【００７１】
傾斜面１９は、相手方のコネクタ３から分離した状態からレバー４が矢印Ｋ２沿って更に回転するとインナハウジング１１の外縁１１ａに近づいて当該インナハウジング１１の外縁１１ａと干渉する。傾斜面１９は、該インナハウジング１１の外縁１１ａに近づくのにしたがって徐々に前記コネクタハウジング９の内側即ちインナハウジング１１に向かう方向に前述した接離する方向Ｓに対して傾斜している。
【００７２】
このため、第１の位置に位置付けられたレバー４が矢印Ｋ２に沿って回転されると、傾斜面１９は、レバー４の平板部２９をインナハウジング１１に近づく方向に変位させるとともに、インナハウジング１１をレバー４の平板部２９に近づく方向に変位させる。このように、規制突起１７には、相手方のコネクタ３から分離した状態からレバー４が矢印Ｋ２に沿って更に回転すると、コネクタハウジング９のインナハウジング１１に近づいて、該コネクタハウジング９のインナハウジング１１と干渉してレバー４とコネクタハウジング９のインナハウジング１１とが密着するように、前記接離する方向Ｓに対して傾斜した傾斜面１９が設けられている。
【００７３】
図６及び図７に示す場合によれば、規制突起１７がレバー４からコネクタハウジング９の内側に突出して、傾斜面１９がコネクタハウジング９のインナハウジング１１に近づくのにしたがって徐々にコネクタハウジング９の内側に向かって傾斜してので、相手方のコネクタ３から分離した状態において、レバー４を更に矢印Ｋ２に沿って回転しても、コネクタハウジング９のインナハウジング１１とレバー４とがより密着する。このため、相手方のコネクタ３から分離した状態において、レバー４を更に矢印Ｋ２に沿って回転しても、レバー４がコネクタハウジング９から脱落することをより一層確実に防止できる。
【００７４】
さらに、本発明では、規制突起１７をレバー４の他端部２９ｃを除く適宜箇所に配置しても良い。また、前述した実施形態では、コネクタ１を所謂雄型のコネクタとしたが、本発明では、コネクタ１を所謂雌型のコネクタとしてもよい。
【００７５】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００７６】
【図１】本発明の一実施形態にかかるコネクタを分解して示す斜視図である。
【図２】図１に示されたコネクタハウジングとレバーとが組み付けられて得られたコネクタの斜視図である。
【図３】図２に示されたコネクタのアウタカバーの一部の壁を取り除いた状態を示す斜視図である。
【図４】図２中のＩＶ−ＩＶ線に沿う断面図である。
【図５】図２中のＶ−Ｖ線に沿う断面図である。
【図６】図４に示されたコネクタの変形例の断面図である。
【図７】図５に示されたコネクタの変形例の断面図である。
【符号の説明】
【００７７】
１  コネクタ
３  相手方のコネクタ
４  レバー
９  コネクタハウジング
１１  インナハウジング（本体部）
１１ａ  外縁
１２  アウタカバー（フード部）
１２ａ  外縁
１７  規制突起（規制部）
１９  傾斜面
２９ａ  一端部（レバーの一端部）
２９ｂ  外縁
２９ｃ  他端部（レバーの他端部）
Ｋ１  一方向
Ｋ２  他方向
Ｓ  接離する方向（嵌合方向）
【図１】
2008004287.tif 000003
【図２】
2008004287.tif 000004
【図３】
2008004287.tif 000005
【図４】
2008004287.tif 000006
【図５】
2008004287.tif 000007
【図６】
2008004287.tif 000008
【図７】
2008004287.tif 000009